(57)【要約】【課題】  複数の記録媒体を備える記録再生装置において、外径が小さなファンを用いた場合でも記録媒体の周囲の温度が上昇することを防止できる記録再生装置を提供する。【解決手段】  筐体と、複数の記録再生手段と、一端が前記筐体の表面において開口する第１のダクトと、第１のダクトの他端に連結し当該第１のダクトに対して傾斜した傾斜部を備える第２のダクトと、一端が第２のダクトと連結し他端が筐体の表面において開口する第３のダクトと、第１のダクトの一端に固定され第２のダクトの内部に気流を生じさせるファンとを備え、複数の記録再生手段は、それぞれが離間していると共に記録媒体が傾斜部に対して略平行となるよう第２のダクトの内部に整列して配設されている。【選択図】      図１
2006196110.tif 000002
【特許請求の範囲】
【請求項１】
筐体と、前記筐体の内部に保持され記録媒体にデータを記録しまたは当該記録媒体に記録されているデータを再生する複数の記録再生手段と、一端が前記筐体の表面において開口する第１のダクトと、前記第１のダクトの他端に連結し当該第１のダクトに対して傾斜した傾斜部を備える第２のダクトと、一端が前記第２のダクトと連結し他端が前記筐体の表面において開口する第３のダクトと、前記第１のダクトの一端に固定され前記第２のダクトの内部に気流を生じさせるファンとを備え、
前記複数の記録再生手段は、それぞれが離間していると共に前記記録媒体が前記傾斜部に対して略平行となるよう前記第２のダクトの内部に整列して配設されていることを特徴とする記録再生装置。
【発明の詳細な説明】
【技術分野】
【０００１】
本発明は、記録媒体へデータを記録し、記録媒体に記録されたデータを再生する記録再生装置に関する。
【背景技術】
【０００２】
従来、音楽情報や映像情報等のデータを複数のハードディスクドライブ（Hard Disk Drive）（以下、ＨＤＤという。）の内部に備える記録媒体に記録し及び当該記録媒体に記録されたデータを再生する記録再生装置が知られている（例えば、特許文献１参照。）。
【０００３】
従来の記録再生装置は、着脱可能な複数のＨＤＤが筐体内部に縦列に配設され、１つのＨＤＤの記録容量が無くなった場合やＨＤＤが故障した場合等に、他のＨＤＤと交換することができる構成となっている。従来の記録再生装置で用いられるこれらのＨＤＤは、データを記録する場合や記録したデータを再生する場合、内部に備えるディスク状の記録媒体を高速で回転させるため、ＨＤＤが発熱し、それに伴って記録再生装置内部の温度が上昇する。従来のＨＤＤは、周囲の温度が上昇し、所定温度以上になると、ＨＤＤの動作が不安定になったり、ＨＤＤの内部の電子回路が故障してしまう虞があることから、ＨＤＤの周囲の温度の上昇を一定温度以内に抑える必要がある。
【０００４】
従来の記録再生装置は、筐体の前面及び後面にそれぞれ貫通孔を備えると共に当該貫通孔の部分にファンを備え、このファンを駆動し、筐体の外部の空気を内部へ流入させることによって、ＨＤＤの周囲の温められた空気を貫通孔から筐体の外部へ流出させることによって、ＨＤＤが筐体内部で発熱した場合でも筐体内部及びＨＤＤの周囲の温度の上昇を防止することができる。
【０００５】
図４は、従来の記録再生装置の一例を示す断面図である。
従来の記録再生装置１００は、筐体２００の内部にファン９及び第１のＨＤＤ１１〜第５のＨＤＤ１５を備える。筐体２００は、箱型を成し、下面にフット１０が固定されている。図４においては、筐体２００の左側を記録再生装置１００の前面とし、筐体２００の右側を記録再生装置１００の後面とする。
【０００６】
筐体２００は、前面に貫通する孔２１０を備え、後面に貫通する孔２２０を備える。第１のＨＤＤ１１〜第５のＨＤＤ１５は、縦列に配設され、図示しない着脱手段によって筐体２００に着脱可能に保持されている。ファン９は、孔２１０の部分に固定され、軸支されたプロペラをモータによって回転させることにより、筐体２００の外部の空気を筐体２００の内部へ流入する。筐体２００内部の空気は、孔２１０から流入した空気によって、孔２２０から筐体２００の外部へ流出する。このことにより、筐体２００の内部には常に外部の空気が流入し、筐体２００内部で温度上昇した空気を常に筐体２００の外部へ流出させるので、第１のＨＤＤ１１〜第５のＨＤＤ１５の周囲の温度を所定温度以上に上昇することを防止する。
【０００７】
【特許文献１】特開平８−１３７６３１号公報
【発明の開示】
【発明が解決しようとする課題】
【０００８】
ファン９は、軸支されたプロペラの回転力によって空気を流動させることから、ファン９から生じた空気は、プロペラが軸支された位置から外周方向に対して略垂直となる方向に流動する。したがって、ファン９によって空気が流動する範囲は、プロペラの外径と略同じ範囲となる。図４に示すように、ファン９のプロペラの外径がＣであり、第１のＨＤＤ１１の上面から第５のＨＤＤ１５の下面までの距離Ｄが外径Ｃよりも大きい場合であって、第１のＨＤＤ１１〜第５のＨＤＤ１５のうち、ファン９の後方となる位置に第３のＨＤＤ１３〜第５のＨＤＤ１５が配設されている場合、第３のＨＤＤ１３〜第５のＨＤＤ１５の周囲にある空気はファン９から発生した空気の流れによって効率良く流動するが、ファン９の後方から外れた位置にある第１のＨＤＤ１１及び第２のＨＤＤ１２の周囲の空気はファン９により直接流動しない。このことから、第１のＨＤＤ１１及び第２のＨＤＤ１２の周囲の空気の流れは、第３のＨＤＤ１３〜第５のＨＤＤ１５の周囲の空気の流れよりも鈍くなる。このため、第１のＨＤＤ１１及び第２のＨＤＤ１２の周囲の空気の温度は上昇してしまう虞がある。
【０００９】
筐体２００内部に配設された第１のＨＤＤ１１〜第５のＨＤＤ１５の全てのＨＤＤの周囲の温度上昇を防止する手段として、第１のＨＤＤ１１の上面から第５のＨＤＤ１５の下面までの距離より大きな外径を有するファンを備えることによって、第１のＨＤＤ１１〜第５のＨＤＤ１５の全てのＨＤＤの周囲の空気をファンによって直接流動させることができる。しかしながら、プロペラの外径が大きいファンは、外径が小さいファンよりもコストが高くなり、記録再生装置１００の生産コストが上昇してしまう。また、この場合、ファンを回転させるための消費電力が多くなってしまう。
【００１０】
また、筐体２００内部に配設された第１のＨＤＤ１１〜第５のＨＤＤ１５の全てのＨＤＤの周囲の温度上昇を防止する他の手段として、図４に示すようなファン９を複数備え、この複数のファン９を筐体にそれぞれ配設することによって、第１のＨＤＤ１１〜第５のＨＤＤ１５の全てのＨＤＤの周囲の空気をファンによって直接流動させることができる。しかしながら、この場合も用いるファンの数が増加することから、記録再生装置１００の生産コストが上昇し、消費電力も増加してしまう。更に、ファンを複数備える構成とすると、それぞれのファンのプロペラの回転によって生じる騒音も増大してしまう。
【００１１】
本発明は、複数の記録媒体を備える記録再生装置において、外径が小さなファンを用いた場合でも記録媒体の周囲の温度が上昇することを防止できる記録再生装置を提供することを目的とする。
【課題を解決するための手段】
【００１２】
本願の請求項１記載の発明は、記録媒体再生装置において、筐体と、前記筐体の内部に保持され記録媒体にデータを記録しまたは当該記録媒体に記録されているデータを再生する複数の記録再生手段と、一端が前記筐体の表面において開口する第１のダクトと、前記第１のダクトの他端に連結し当該第１のダクトに対して傾斜した傾斜部を備える第２のダクトと、一端が前記第２のダクトと連結し他端が前記筐体の表面において開口する第３のダクトと、前記第１のダクトの一端に固定され前記第２のダクトの内部に気流を生じさせるファンとを備え、前記複数の記録再生手段は、それぞれが離間していると共に前記記録媒体が前記傾斜部に対して略平行となるよう前記第２のダクトの内部に整列して配設されていることを特徴とする。
【発明の効果】
【００１３】
本発明の記録再生装置によれば、複数の記録媒体を備える記録再生装置において、外径が小さなファンを用いた場合でも記録媒体の周囲の温度が上昇することを防止できる記録再生装置を提供することができる。
【発明を実施するための最良の形態】
【００１４】
本発明の実施の形態を図面を参照して説明する。なお、従来技術で示した構成要素と同一の部分については同符号を用いる。
【００１５】
図１は、本発明の記録再生装置の一実施例を示す斜視図である。
記録再生装置１は、筐体２、入力部３、制御部４、出力部５、ＲＡＭ６、マザーボード７、ダクト部８、ファン９、第１のＨＤＤ１１〜第５のＨＤＤ１５及び雄ネジ２０を備える。筐体２は、箱型を成し、下面にフット１０が固定されている。筐体２は、上面に貫通する孔２０６を備え、下面に貫通する孔２０７を備える。
【００１６】
ダクト部８は、第１のダクト８１、第２のダクト８２及び第３のダクト８３を備える。第１のダクト８１は、上下に開口し、下端が孔２０７の部分に固定されている。第２のダクト８２は、第１のダクト８１の上端に連結し、第１のダクト８１に対して傾斜を成す傾斜部８０１を備える。第３のダクト８３は、上下に開口し、第２のダクト８２の上端に連結し、上端が孔２０６の部分に固定されている。
【００１７】
ファン９は、孔２０７の部分に固定され、軸支されたプロペラをモータによって回転させることにより、筐体２の外部の空気を第１のダクト８１〜第３のダクト８３の内部へ流入させる。
【００１８】
マザーボード７は、筐体２の側面に固定され、出力部５及び５つのコネクタ７０１を備える。第２のダクト８２は、側面に図示しない孔を備え、コネクタ７０１は、この孔から第２のダクト８２の内部に突出する。
【００１９】
第１のＨＤＤ１１〜第５のＨＤＤ１５は、薄い直方型を成し、それぞれの前面（図４に示す右側面）には、薄い板状を成すパネル１７が固定されている。パネル１７は、両端のそれぞれの部分に貫通する孔１８を備える。第１のＨＤＤ１１〜第５のＨＤＤ１５は、それぞれ内部に図示しないディスク状の記録媒体を備える。記録媒体は、上面および下面がそれぞれのＨＤＤの長手方向の表面に対して平行となるように配設されている。
【００２０】
筐体２は、側面に貫通する第１の開口部２０１〜第５の開口部２０５を備える。第１の開口部２０１〜第５の開口部２０５は、それぞれ第１のＨＤＤ１１〜第５のＨＤＤ１５の外寸より僅かに大きい。筐体２は、第１の開口部２０１〜第５の開口部２０５のそれぞれの両端部分には、雌ネジ２１が形成されている。第１の開口部２０１〜第５の開口部２０５は、それぞれの上辺及び下辺が傾斜部８０１に対して平行となるように配設されている。第２のダクト８２は、第１の開口部２０１〜第５の開口部２０５と対向する側面に第１の開口部２０１〜第５の開口部２０５と略同一の外寸を有する図示しない孔を備える。
【００２１】
第１のＨＤＤ１１〜第５のＨＤＤ１５は、それぞれ第１の開口部２０１〜第５の開口部２０５に挿入し、パネル１７の孔１８を介して雄ネジ２０を雌ネジ２１へ固定することにより、筐体２に装着される。このとき、第１のＨＤＤ１１〜第５のＨＤＤ１５は、第２のダクト８２の側面に備えた孔を介して第２のダクト８２の内部に突出した状態となる。第１のＨＤＤ１１〜第５のＨＤＤ１５は、パネル１７が固定されている面と対抗する面に凹状を成す接続部１６を備える。第１のＨＤＤ１１〜第５のＨＤＤ１５は、筐体２に保持された状態の場合、それぞれの接続部１６がマザーボード７のコネクタ７０１と嵌合することによって、マザーボード７と電気的に接続する。第１のＨＤＤ１１〜第５のＨＤＤ１５を筐体２から離脱させる場合は、雄ネジ２０を雌ネジ２１から取り外し、第１のＨＤＤ１１〜第５のＨＤＤ１５を横方向へ引っ張り出すことによって筐体２から離脱させる。
【００２２】
入力部３、制御部４及びＲＡＭ６は筐体２の内部に固定される。
入力部３は、インターネットを介して他のパーソナルコンピュータと接続され、他のパーソナルコンピュータから出力される音声情報や映像情報等のデータを入力する。制御部４は、入力部３にデータが入力されると、入力されたデータをＲＡＭ６へ出力する。ＲＡＭ６は、制御部４の制御により入力部３に入力されたデータを記憶する。制御部４は、図示しない操作部からの記録指示信号に応じてＲＡＭ６に記憶されたデータを第１のＨＤＤ１１〜第５のＨＤＤ１５の内の任意の記録媒体へ記録させるよう制御する。
【００２３】
第１のＨＤＤ１１〜第５のＨＤＤ１５は、制御部４の制御により、ＲＡＭ６に記憶されたデータをマザーボード７及びコネクタ７０１を介して内部の記録媒体へ記録する。制御部４は、操作部からの再生指示信号に応じて第１のＨＤＤ１１〜第５のＨＤＤ１５に記録されたデータを出力部５から出力するよう制御する。第１のＨＤＤ１１〜第５のＨＤＤ１５は、制御部４の制御により、内部の記録媒体へ記録したデータを出力部５へ出力する。出力部５は、インターネットによって他のパーソナルコンピュータと接続され、第１のＨＤＤ１１〜第５のＨＤＤ１５から出力されたデータを再生した後、他のパーソナルコンピュータへ出力する。
【００２４】
以上の構成により、記録再生装置１は、他のパーソナルコンピュータから出力されたデータを第１のＨＤＤ１１〜第５のＨＤＤ１５のそれぞれの記録媒体へ記録し、また、第１のＨＤＤ１１〜第５のＨＤＤ１５の記録媒体に記録されたデータを再生した後、他のパーソナルコンピュータへ出力する。
【００２５】
図２は、記録再生装置１のファン９を動作させた場合を示す断面図である。
図２に示すように、第１のＨＤＤ１１〜第５のＨＤＤ１５は、筐体２に装着される場合、それぞれ内部に備える記録媒体の上面及び下面が傾斜部８０１の面と略平行になるよう縦列して第２のダクト８２の内部に配設される。また、第１のＨＤＤ１１〜第５のＨＤＤ１５は、傾斜部８０１との間及び各ＨＤＤの表面との間にそれぞれ隙間を有するよう配設される。
【００２６】
図２に示すように、ファン９は、軸支されたプロペラをモータによって回転させることにより、孔２０７から外部の空気をダクト部８の内部へ流入させる。ファン９によってダクト部８に流入された空気は、第１のダクト８１の下方から上方へ向かって流動し、第２のダクト８２内の傾斜部８０１の内壁及び第１のＨＤＤ１１〜第５のＨＤＤ１５の間の隙間を流動し、第３のダクト８３を介して孔２０６から筐体２の外部へ流出する。
【００２７】
図２に示すように、第１のＨＤＤ１１〜第５のＨＤＤ１５は、ファン９が流入する空気の方向に対して上面及び下面が傾斜した状態で筐体２に保持されることにより、第１のＨＤＤ１１〜第５のＨＤＤ１５の全てのＨＤＤの周囲にファン９から流入した空気が流出する。つまり、図２に示すように、第２のダクト８２が第１のダクト８１に対して角度θ傾斜し、第１のＨＤＤ１１〜第５のＨＤＤ１５の上面及び下面も角度θ傾斜していることから、ファン９のプロペラの外径が外径Ａであって第１のＨＤＤ１１の上面から第５のＨＤＤ１５の下面までの距離が外径Ａよりも大きいＢである場合でも、それぞれのＨＤＤの全ての周囲に亘ってファン９から流出した空気が略同一に流動する。
【００２８】
以上の構成により、記録再生装置１の内部に第１のＨＤＤ１１〜第５のＨＤＤ１５を縦列させて配設した場合、第１のＨＤＤ１１の上面から第５のＨＤＤ１５の下面までの距離がファンの外径より大きい場合でも、第１のＨＤＤ１１〜第５のＨＤＤ１５の全ての周囲にファンから流出した空気が流動するので、第１のＨＤＤ１１〜第５のＨＤＤ１５の発熱によって暖められた周囲の空気の温度上昇を効率良く抑えることができる。
【００２９】
本実施例の記録再生装置１は、第１のＨＤＤ１１の上面から第５のＨＤＤ１５の下面までの距離がファンの外径より大きい場合でも、第１のＨＤＤ１１〜第５のＨＤＤ１５の発熱によって暖められた周囲の空気の温度上昇を効率良く抑えることができる。このため、外径の大きなプロペラを備えたファンや複数のファンを備えることによって記録再生装置１の生産コストの増大を抑えることができる。また、複数のファンを備える構成とし、それぞれのファンのプロペラの回転によって生じる騒音の増大を防止することができる。
【００３０】
ＨＤＤの発熱によって暖められた空気は、温度が低い空気よりも比重が小さくなるため、自然に上方へ移動する。本実施例の記録再生装置１は、図２に示すように、第１のＨＤＤ１１〜第５のＨＤＤ１５によって暖められた空気が第２のダクト８２の内部から第３のダクト８３を経て筐体２の上方へ流動させる構成とすることによって、ファン９が発生する空気の流動量が小さい場合でも、第１のＨＤＤ１１〜第５のＨＤＤ１５の発熱によって暖められた周囲の空気が上方へ移動し、温度上昇を効率良く抑えることができる。
【００３１】
本実施例の記録再生装置１は、第１のダクト８１〜第３のダクト８３から成るダクト部８を備えることによって、ファン９が流入させた外部の空気を第１のＨＤＤ１１〜第５のＨＤＤ１５の周囲へスムーズに流動させることができ、ＨＤＤの発熱によって暖められた周囲の空気を効率良く筐体２の外部へ流出させることができる。
【００３２】
本実施例の記録再生装置１は、筐体２の内部に第１のＨＤＤ１１〜第５のＨＤＤ１５の５つのＨＤＤを備える構成としたが、記録再生装置１に備えるＨＤＤの数を更に増加させた構成とする場合は、図２に示すダクト部８の傾斜部８０１の上下方向の幅を更に大きくすることによって、ファン９のプロペラの外径Ａと縦列させたＨＤＤの上面から下面までの長さＢとの差が大きくなっても、それぞれのＨＤＤ全ての周囲にファンから流出した空気を流動させることができ、それぞれのＨＤＤの発熱によって暖められた周囲の空気の温度上昇を効率良く抑えることができる。
【００３３】
図３は、本発明の記録再生装置１の他の実施例を示す断面図である。図３においては、筐体２の左側を記録再生装置１の前面とし、筐体２の右側を記録再生装置１の後面とする。
【００３４】
図３に示すように、筐体２００は前面に貫通する孔２１０を備え、後面に貫通する孔２２０を備え、ファン９を孔２１０の部分に固定する。ダクト部８は、前述した実施例と同様の、第１のダクト８１、第２のダクト８２及び第３のダクト８３を備え、第２のダクト８２は傾斜部８０１を備える。第１のダクト８１の前端は、孔２１０の部分に固定され、第３のダクト８３の後端は、孔２２０の部分に固定される。第１のＨＤＤ１１〜第５のＨＤＤ１５は、それぞれの内部に備える記録媒体の上面及び下面が傾斜部８０１の面に対して平行になるよう縦列して配設される。その他の構成については、前述した実施例の記録再生装置１の構成と同一であり、説明を省略する。
【００３５】
図３に示すように、ファン９は、軸支されたプロペラをモータによって回転させることにより、孔２１０の前方にある外部の空気をダクト部８の内部へ流入させる。ファン９によってダクト部８に流入された空気は、第１のＨＤＤ１１〜第５のＨＤＤ１５の間の隙間を流動した後、孔２２０から筐体２の後方へ流出する。
【００３６】
以上の構成により、筐体２の前面にファン９を備えた場合においても、第１のＨＤＤ１１〜第５のＨＤＤ１５の発熱によって暖められた周囲の空気の温度上昇を効率良く抑えることができる。本実施例の記録再生装置１は、筐体２の前方にある空気をダクト部８の内部へ流入させて、それぞれのＨＤＤの発熱によって暖められた周囲の空気を筐体２の後面へ流出させるので、ファン９が筐体２の下方に堆積した埃をダクト部８の内部へ流入させてしまい、この埃により第１のＨＤＤ１１〜第５のＨＤＤ１５が故障することを防止することができる。
【００３７】
本実施例の記録再生装置１は、ファン９が筐体２の外部の空気を第１のダクト８１〜第３のダクト８３の内部に流入させる構成としたが、第１のダクト８１〜第３のダクト８３の内部の空気を筐体２の外部へ流出させるファンを備える構成としても良い。また、本実施例の記録再生装置１は、図３に示すように、ファン９を孔２２０の部分に備える構成としたが、ファン９を孔２２０の部分に備える構成としても良い。
【図面の簡単な説明】
【００３８】
【図１】本発明の記録再生装置の一実施例を示す斜視図。
【図２】記録再生装置１のファン９を動作させた場合を示す断面図。
【図３】本発明の記録再生装置１の他の実施例を示す断面図。
【図４】従来の記録再生装置の一例を示す断面図。
【符号の説明】
【００３９】
１  記録再生装置、２  筐体、２０１  第１の開口部、２０２  第２の開口部、
２０３  第３の開口部、２０４  第４の開口部、２０５  第５の開口部、
２０６  孔、２０７  孔、３  入力部、４  制御部、５  出力部、６  ＲＡＭ、
７  マザーボード、７０１  コネクタ、８  ダクト部、
８１  第１のダクト  ８２  第２のダクト  ８３  第３のダクト、
８０１  傾斜部、９  ファン、１０  フット、
１１  第１のＨＤＤ１１、１２  第２のＨＤＤ、１３  第３のＨＤＤ、
１４  第４のＨＤＤ、１５  第５のＨＤＤ、
１６  接続部、１７  パネル、１８  孔、２０  雄ネジ、２１  雌ネジ、
１００  記録再生装置、２００  筐体、２１０  孔、２２０  孔
【図１】
2006196110.tif 000003
【図２】
2006196110.tif 000004
【図３】
2006196110.tif 000005
【図４】
2006196110.tif 000006